(57)【要約】【課題】コストを節減でき、使用寿命も延長できるスライドレール引き伸ばしの連動定位構造を提供する。【解決手段】内レール５は中レール４においてスライドし、中レール４は外レール６においてスライドし、連動部品１、定位部品２及び弾性部品３を含む。連動部品１及び定位部品２は、中レール４に可動接続している。内レール５には第一凸壁５１が設置され、第一凸壁５１には係合停止部５１１が設置されている。外レール６には第二凸壁６１が設置され、第二凸壁６１にはガード部６１１が設置されている。連動部品１は係合定位端１１とロック解除端とを含み、定位部品２はロック解除端２１と固定端とを含む。弾性部品３は中レール４に設置されている。連動部品の係合定位端１１は係合停止部５１１に対応し、定位部品２の固定端はガード部６１１に対応する。【選択図】図１
0003120872.tif 000002
【実用新案登録請求の範囲】
【請求項１】
中レールと内レールと外レールが対応して実施され、前記内レールは前記中レールにおいてスライドし、前記中レールは前記外レールにおいてスライドし、連動部品、定位部品及び弾性部品を含み、
前記連動部品及び前記定位部品は前記中レールに可動接続し、前記内レールには第一凸壁が設置され、前記第一凸壁には係合停止部が設置され、前記外レールには第二凸壁が設置され、前記第二凸壁にはガード部が設置され、連動部品は係合定位端とロック解除端とを含み、前記定位部品はロック解除端と固定端とを含み、前記弾性部品は前記中レールに設置され、前記弾性部品は弾力を提供して前記連動部品のロック解除端を具えるレバーアームの片側と前記定位部品の固定端を具えるレバーアームの片側に圧力を加え、前記連動部品の係合定位端は前記内レールの第一凸壁の係合停止部に対応し、前記定位部品の固定端は前記外レールの第二凸壁のガード部に対応することを特徴とするスライドレール引き伸ばしの連動定位構造。
【請求項２】
前記第一凸壁は、斜面を含み、前記定位部品のロック解除端に対応することを特徴とする請求項１記載のスライドレール引き伸ばしの連動定位構造。
【請求項３】
前記第二凸壁は、斜面を含み、前記連動部品のロック解除端に対応することを特徴とする請求項１記載のスライドレール引き伸ばしの連動定位構造。
【請求項４】
前記弾性部品は、第一弾力脚と第二弾力脚とを具え、それぞれ前記連動部品のロック解除端と前記定位部品の固定端に弾力を提供して固定することを特徴とする請求項１記載のスライドレール引き伸ばしの連動定位構造。
【請求項５】
前記弾性部品は、第一トルクばねと第二トルクばねが可動ピンに嵌設され、前記第一トルクばねの作用端は前記連動部品のロック解除端を具えるレバーアーム上に圧力を加え、第二トルクばねの作用端は前記定位部品の固定端を具えるレバーアーム上に圧力を加えることを特徴とする請求項１記載のスライドレール引き伸ばしの連動定位構造。
【考案の詳細な説明】
【技術分野】
【０００１】
本考案は、一種のスライドレール引き伸ばしの連動定位構造に関する。特に、一種の中レールと内レールを外レールより同時に引き伸ばし、中レールにおいて外レールを相対して定位後、内レールと中レールはロック解除され、単独で内レールを完全に引き伸ばし、収納時には、内レールと中レールを順番に外レールに収納するスライドレール引き伸ばしの連動定位構造に係る。
【背景技術】
【０００２】
一般に、引き出し或いは類似のフックに使用される伸縮スライドレールの基本構造は、内レールと外レールにより組成する二段式、或いは、内レール、中レール及び外レールにより組成する三段式である。該内レール、中レール及び外レールにより組成する三段式スライドレールの多くは、引き出し展開の終点位置に定位構造が設計されている。これにより、内レール或いは中レールが自然に外レールに縮入することを防止し、また、該中レールからの該外レール引き出しのスムーズ性を考慮し、該各レール間には適時に同時スライド移動が可能な装置を設置する。
【０００３】
該三段式スライドレールの中レールと外レールの引き伸ばし定位については、台湾特許公告第５１５４９４号、第５２２８０６号、第Ｍ２４５７２８号、米国特許第３，１３３，７６８号、第３，２５８，２９９号、第３，３７１，９６８号、第３，５８９，７７８号、第３，６５０，５７８号、第４，５６０，２１２号、第４，９９８，８２８号、第５，４１７，４９０号、第５，４８４，１９７号、第５，５５１，７７５号、第５，７５７，１０９号、第５，８７１，２６５号、第６，２９６，３３８  Ｂ１号、第６，３５０，００１  Ｂ１号、第６，３９０，５７４  Ｂ２号、第６，５８５，３３５  Ｂ２号、第６，６５５，７６３  Ｂ２号、第６，７０２，４１２  Ｂ２号、第６，７０５，６８９  Ｂ２号、第６，７４９，２７６  Ｂ２号、第６，８０５，４１８  Ｂ２号、第６，８９９，４０８  Ｂ２号及び米国特許申請早期公開の第ＵＳ  ２００３／００５２５８０  Ａ１号、第ＵＳ  ２００３／０１１１９４２  Ａ１号、第ＵＳ  ２００４／０１７４１０３  Ａ１号、第ＵＳ  ２００４／０２３９２２０  Ａ１号、第ＵＳ  ２００５／０１１６５９４  Ａ１号、第ＵＳ  ２００５／０１８０６６７  Ａ１号案などがある。
【０００４】
上記米国特許中には本申請人の研究開発技術があるが、それは、第６，５８５，３３５  Ｂ２号、第６，７０５，６８９  Ｂ２号、第６，８９９，４０８  Ｂ２号、第ＵＳ  ２００５／０１８０６６７  Ａ１号案で、同様の技術は台湾においても特許の批准を得ており、公告第５１３９４４号、公告第５１０１８６号、公告第５６６１３２号、公告第Ｍ２５０５９６号として公告されている。
さらに、台湾特許公告第５２５４５５号も本申請人の特許技術である。
【０００５】
また、該中レールが該スライドレールにおいて引き出される時、該内レールに従って同時に引き動かされて移動する技術において、関連する連動機構設計は、上述の米国特許前案の引き伸ばし定位構造のシンクロ機能に類似の技術の他に、台湾特許公告第５３３８００号、第５６６１２８号、台湾特許公告第２２２３２１号、第３９６７８１号、第５５８９９９号が示す別種の形式の同期スライドレールがある。
各類スライドレールは使用状況の差異によって異なる機能に対するニーズがあり、適した製品を開発して市場に供給しているが、市場競争に勝利するため、構造、操作、使用及び製造加工をさらに合理化して経済性を高めるため、本考案は誕生した。
【考案の開示】
【考案が解決しようとする課題】
【０００６】
本考案は、上記構造の問題点を解決するスライドレール引き伸ばしの連動定位構造を提供するものである。
【課題を解決するための手段】
【０００７】
上記課題を解決するため、本考案は下記のスライドレール引き伸ばしの連動定位構造を提供する。
それは、主に、一種のスライドレール引き伸ばしの連動定位構造を提供し、引き伸ばし時に中レールと内レールを同期で引き伸ばし、定位し、収納時には、内レールと中レールを順番に外レールに収納し、すなわち、中レール、内レール及び外レールを対応して実施し、該内レールは該中レールにおいてスライドし、該中レールは該外レールにおいてスライドし、該連動部品、定位部品及び弾性部品を含み、該連動部品及び該定位部品は該中レールに可動接続し、該内レールに第一凸壁を設置し、該第一凸壁には係合停止部を設置し、該外レールには第二凸壁を設置し、該第二凸壁にはガード部を設置し、該連動部品は係合定位端とロック解除端を含み、該定位部品はロック解除端と固定端を含み、該弾性部品は該中レールに固定され、かつ該弾性部品は弾力を提供し、該連動部品のロック解除端と該定位部品の固定端を固定し、該連動部品の係合定位端は該内レールの第一凸壁の係合停止部に対応し、該定位部品の固定端は該外レールの第二凸壁のガード部に対応し、該第一凸壁は斜面を含み、該定位部品のロック解除端に対応し、該第二凸壁は斜面を含み、該連動部品のロック解除端に対応することを特徴とするスライドレール引き伸ばしの連動定位構造である。
【考案の効果】
【０００８】
上記のように、本考案は、スライドレールの限られた空間内において同一位置設置する各自が作動する構成部品を利用し、必要とする同期、定位の異なる機能を達成し、部品の設計、配列はいっそう合理的かつ経済的で、コストを節減可能であるばかりか、使用寿命をも延長可能である。
【考案を実施するための最良の形態】
【０００９】
図１に示すように、本考案の一実施例によるスライドレール引き伸ばしの連動定位構造は、中レール４、内レール５及び外レール６を対応して実施する。該内レール５は該中レール４においてスライドし、該中レール４は該外レール６においてスライドする。詳細構造については、図２及び図３に示すように、連動部品１、定位部品２及び弾性部品３を含む。
【００１０】
該連動部品１及び該定位部品２は、該中レール４において可動接続し、可動ピン１３により該連動部品１及び該定位部品２の中央部分を貫通し、かつ該中レール４には副レール４３を固設する。該中レール４と該副レール４３には収容槽４１と４３１を設置し、該連動部品１及び該定位部品２を収容する。該可動ピン１３は該中レール４上の半円形の可動ピン台４２において穿通し、該中レール４と該副レール４３により挟持され、該中レール４において可動接続する。該内レール５には第一凸壁５１を設置し、該第一凸壁５１には係合停止部５１１と斜面５１２を設置し、該外レール６には第二凸壁６１を設置する。該第二凸壁６１にはガード部６１１と斜面６１２を設置する。
【００１１】
該連動部品１は係合定位端１１とロック解除端１２を含み、該定位部品２はロック解除端２１と固定端２２を含み、該弾性部品３は該中レール４に固定する。かつ該弾性部品３は第一弾力脚３１と第二弾力脚３２によりそれぞれ弾力を提供し、該連動部品１のロック解除端１２と定位部品２の固定端２２を固定する。
【００１２】
別に、該連動部品１の係合定位端１１は該内レール５の第一凸壁５１の係合停止部５１１に対応し、該ロック解除端１２は該外レール６の第二凸壁６１の斜面６１２に対応する。該定位部品２の固定端２２は該第二凸壁６１のガード部６１１に対応し、該ロック解除端２１は該第一凸壁５１の斜面５１２に対応する。
【００１３】
次に、図３に示すように、スライドレールの完全収納状態下では、該連動部品１は該係合定位端１１により該内レール５の第一凸壁５１の係合停止部５１１に固定され、該定位部品２のロック解除端２１は該第一凸壁５１により押上げられる。
図４に示すように、該内レール５を引き出す時、該中レール４は同時に該第一凸壁５１の係合停止部５１１及び該連動部品１の係合定位端１１より引き出され、定点まで引き伸ばされた後、図５及び図６に示すように、該連動部品１のロック解除端１２は該第二凸壁６１及び該斜面６１２により押上げられる。こうして、該連動部品１の係合定位端１１は該第一凸壁５１の係合停止部５１１を離脱し、該内レール５の相対係合定位を解除する。
【００１４】
また、図７に示すように、続けて該内レール５を引くと、該第一凸壁５１は該定位部品２のロック解除端２１を離れ、該定位部品２の固定端２２は該弾性部品３の第二弾力脚３２の圧迫固定を受け、該第二凸壁６１のガード部６１１を固定する。さらに、該内レール５を引き伸ばす状態を継続し、図８に示すように、該中レール４は該定位部品２の固定端２２により該第二凸壁６１のガード部６１１において定位され、該外レール６に対して定位され、該内レール５は完全に引き伸ばされるまで引き伸ばしを継続される。
【００１５】
次に、該内レール５を押し戻して収納する時には、図９に示すように、該内レール５の第一凸壁５１及び該斜面５１２により該定位部品２のロック解除端２１を押し、該定位部品２の固定端２２を該外レール６の第二凸壁６１のガード部６１１より離脱させ、該中レール４を収納し、図１の完全収納の状態に戻す。
【００１６】
さらに、該弾性部品３が弾力を該連動部品１と該定位部品２に提供する技術においては、図１０に示すように、第一トルクばね３ａと第二トルクばね３ｂを設置し、該可動ピン１３に被せる。これにより、該第一トルクばね３ａの作用端３１ａは該連動部品１のロック解除端１２を具えるレバーアーム上に圧力を加え、該第二トルクばね３ｂの作用端３１ｂは該定位部品２の固定端２２を具えるレバーアーム上に圧力を加える。
【図面の簡単な説明】
【００１７】
【図１】本考案の一実施例によるスライドレール引き伸ばしの連動定位構造の三段式スライドレールに応用される状態を示す分解斜視図である。
【図２】本考案の一実施例によるスライドレール引き伸ばしの連動定位構造の分解斜視図である。
【図３】本考案の一実施例によるスライドレール引き伸ばしの連動定位構造の完全収納状態を示す断面図である。
【図４】本考案の一実施例によるスライドレール引き伸ばしの連動定位構造の内レールを引き出した状態を示す断面図である。
【図５】本考案の一実施例によるスライドレール引き伸ばしの連動定位構造の内レールと中レールのロック解除時の状態を示す断面図である。
【図６】図５の局部を拡大した図である。
【図７】本考案の一実施例によるスライドレール引き伸ばしの連動定位構造の中レールと外レールの相対引き伸ばし係合定位状態を示す断面図である。
【図８】本考案の一実施例によるスライドレール引き伸ばしの連動定位構造の内レールを完全に引き伸ばした状態を示す断面図である。
【図９】本考案の一実施例によるスライドレール引き伸ばしの連動定位構造の収納操作状態を示す断面図である。
【図１０】本考案の一実施例によるスライドレール引き伸ばしの連動定位構造の局部構造を示す斜視図である。
【符号の説明】
【００１８】
１  連動部品、２  定位部品、３  弾性部品、３ａ  第一トルクばね、３ｂ  第二トルクばね、４  中レール、５  内レール、６  外レール、１１  係合定位端、１２  ロック解除端、２１  ロック解除端、２２  固定端、３１  第一弾力脚、３１ａ  作用端、３１ｂ  作用端、３２  第二弾力脚、４１  収容槽、４２  可動ピン台、４３  副レール、５１  第一凸壁、６１  第二凸壁、４３１  収容槽、５１１  係合停止部、５１２  斜面、６１１  ガード部、６１２  斜面
【図１】
0003120872.tif 000003
【図２】
0003120872.tif 000004
【図３】
0003120872.tif 000005
【図４】
0003120872.tif 000006
【図５】
0003120872.tif 000007
【図６】
0003120872.tif 000008
【図７】
0003120872.tif 000009
【図８】
0003120872.tif 000010
【図９】
0003120872.tif 000011
【図１０】
0003120872.tif 000012